(57)【要約】【課題】高圧計量器の取替作業等の際に、外部計器の外部計器リード線を外部計器接続用端子に接続した状態を保ちつつ容易に本体部に着脱でき、チェックターミナルの端子部（充電部）を覆うことにより、短絡事故等を防ぐことができる。【解決手段】端子部８０が並設された本体部６０を着脱可能に覆うチェックターミナルの作業用上蓋１であって、本体部側が開放された略箱状であり、外部計器リード線Ｗｃの挿入方向に対して垂直な側面の、端子部に略対向する箇所に切欠き１０が形成された蓋体９０ａと、切欠きを覆うように取り付けられる、外部計器リード線を通す切込み３０が形成された弾性絶縁シート２０とを備え、切込みは、外部計器接続用端子と略対向する位置に形成されたリード線引出部３３と、弾性絶縁シートの端縁からリード線引出部に向かって形成された略直線状の引込部３１とを有するように構成した。【選択図】図１
2014142257.tif 000002
【特許請求の範囲】
【請求項１】
高圧計量器の取替作業、試験作業、測定作業の際に使用される外部計器接続用端子（８５）を有する端子部（８０）が並設された本体部（６０）を、着脱可能に覆うチェックターミナルの作業用上蓋（１，２）であって、
少なくとも前記本体部側が開放された略箱状であり、代替計器や試験用機器等の外部計器と前記各外部計器接続用端子とを接続する外部計器リード線（Ｗｃ）の挿入方向に対して垂直な側面には、前記端子部に略対向する箇所に切欠き（１０，１０ａ）が形成された蓋体（９０ａ，９０ｂ）と、
前記外部計器リード線（Ｗｃ）を通すための厚み方向に貫通する切込み（３０，３０ａ）が形成された弾性絶縁シート（２０，２０ａ）と、を備え、
前記切込みは、前記外部計器接続用端子と略対向する位置に形成されたリード線引出部（３３，３３ａ）と、該弾性絶縁シートの端縁から該リード線引出部に向かい斜め上方へ傾斜して形成された略直線状の引込部（３１，３１ａ）とを有し、
前記リード線引出部の切込みに囲まれた切込み片（３５，３５ａ）が下方に捲れることにより開口した引出孔（３７，３７ａ）から前記外部計器リード線が引き出され、捲れた該切込み片が該外部計器リード線を下側から支えるとともに、該リード線引出部の切込みの上側壁面に密着するように押しつける構成とした、ことを特徴とするチェックターミナルの作業用上蓋。
【請求項２】
前記切込み（３０，３０ａ）には、前記絶縁弾性シート（２０，２０ａ）の端縁側に、前記作業用上蓋（１，２）を取り付ける際に一時的に前記外部計器リード線（Ｗｃ）を保持するための保持部（３９）がさらに形成された、ことを特徴とする請求項１に記載のチェックターミナルの作業用上蓋。
【請求項３】
前記蓋体（９０ａ，９０ｂ）は、少なくともその一部が、透明な部材または透光性を有する部材（４１）からなり、少なくとも前記外部計器リード線（Ｗｃ）と前記外部計器接続用端子（８５）との接続状況が外部から視認できるように構成した、ことを特徴とする請求項１または２に記載のチェックターミナルの作業用上蓋。
【請求項４】
前記引込部（３１，３１ａ）と前記リード線引出部（３３，３３ａ）のうちの少なくともどちらか一方に、前記本体部（６０）の前記外部計器接続用端子（８５）と同じ色の識別表示（Ａ，Ｂ，Ａ’，Ｂ’）が施されている、ことを特徴とする請求項１乃至３のいずれか１つに記載のチェックターミナルの作業用上蓋。
【発明の詳細な説明】
【技術分野】
【０００１】
本発明は、電力供給側の変成器と電力需要側の高圧計量器の間に接続されるチェックターミナルの上蓋に係り、特に高圧計量器の取替作業、試験作業、測定（力率、高調波等）作業の際、代替計器や試験用機器等のリード線を試験リード用絶縁ネジに接続した状態で端子部を覆うことができ、かつ、リード線の接続状態を保ちつつ本体部に容易に着脱できるチェックターミナルの作業用上蓋に関する。
【背景技術】
【０００２】
従来、高圧受電設備では、電力供給側の変成器と電力需要側の高圧計量器の間にチェックターミナルが接続されている。高圧計量器の取替作業、試験作業、測定作業においては、代替計器、試験用機器等（以下、これらを外部計器という）を用意し、チェックターミナル内に設けられている試験リード用絶縁ネジ（以下、外部計器接続用端子という）に一時的に接続して、高圧計量器の無計量状態、電力需要者側の無停電状態を回避している。
【０００３】
以下、このチェックターミナルの構成について説明する。
図４は、上蓋９０を外した状態のチェックターミナル１００を示す斜視図である。図５は、チェックターミナル１００の端子部８０を説明する拡大横断面図である。チェックターミナル１００は、本体部６０の箱体７０の立ち上がり部７１（詳細は後述）の外壁面を下方に向けて直立した状態で、施設の壁面等に設置される。以下の説明において、図４における上方を、チェックターミナル１００を設置した状態に基づき前方という。
図４，５に示すように、電力供給側の変成器と電力需要側の高圧計量器の間に接続されるチェックターミナル１００は、外部計器接続用端子８５を有する端子部８０が並設された本体部６０と、この本体部６０を着脱可能に覆う上蓋９０とからなる。
【０００４】
本体部６０は、端子部８０が並設された端子台８９と、この端子台８９を内側に設置する箱体７０とを備える。箱体７０は、前方が開放され、下端側に前方に大きく突出する立ち上がり部７１が形成された略板状の部材であり、上端側及び両側端側の周縁にはこの立ち上がり部７１に連なるように垂設された低い壁部７３が形成されている。箱体７０の底面中央部には矩形の板状の端子台８９が取り付けられている。また、箱体７０の立ち上がり部７１には、変成器に接続するためのリード線Ｗａ、高圧計量器に接続するためのリード線Ｗｂを、それぞれ１つに束ねて通すゴムブッシング７５、ゴムブッシング７７が設けられている。箱体７０の上端中央には上方に、下端中央には下方に突出するネジ孔及び封印孔を有する第１突起部７９ａ，７９ｂが設けられている。
【０００５】
端子台８９には７つの細長い略柱状の端子部８０が、上下方向に一定間隔で並設されている。各端子部８０は、左端部に変成器に接続するリード線Ｗａを固定するための第１端子ネジ８１ａを有する第１接続部８１を、右端部に高圧計量器に接続するリード線Ｗｂを固定するための第２端子ネジ８３ａを有する第２接続部８３を備える。また、各端子部８０の中央には、着脱可能な接栓８７が設けられている。通常時は図４，５のように接栓８７を取り付けて第１接続部８１と第２接続部８３とを電気的に接続し、高圧計量器の取替作業、試験作業、測定作業（以下、これらを作業という）の際には必要に応じて接栓８７を取り外して切断する。
【０００６】
さらに、端子部８０には、第１接続部８１と第２接続部８３の間（内側）に、接栓８７に対して対向するように、一対の外部計器接続用端子８５が設けられている。各外部計器接続用端子８５には、作業する際に必要に応じて外部計器に接続するための外部計器のリード線（以下、外部計器リード線という）Ｗｃが固定ネジ８５ａにより固定される。固定ネジ８５ａの持ち手部分ｈには、端子部８０ごとに異なる着色やシール貼着がなされており、端子部８０を色により識別できるようになっている。作業の際に、各外部計器接続用端子８５には、その持ち手部分ｈと被覆が同じ色である外部計器リード線Ｗｃが接続される。
【０００７】
上蓋９０は、本体部６０側である後方側及び下側が開放された略箱状の部材からなり、端子部８０が並設された端子台８９を覆い密閉するように、本体部６０に取り付けられる。また、上蓋９０の上端及び下端には、本体部６０の第１突起部７９ａ，７９ｂに対向するようにネジ孔及び封印孔を有する第２突起部９１ａ，９１ｂが設けられており、これらを本体部６０の第１突起部７９ａ，７９ｂにそれぞれネジ止め等することで着脱可能に取り付けられる。なお、上蓋９０及び本体部６０の材質は、絶縁性を有する不透明な部材であり、例えば、ＡＢＳ樹脂の樹脂素材等である。
【０００８】
作業の際には、チェックターミナル１００の上蓋９０を本体部６０から取り外し、チェックターミナル１００の外部に設けられた外部計器を接続するための外部計器リード線Ｗｃの一端を、チェックターミナル内の各外部計器接続用端子８５に固定する。作業中は接続した外部計器リード線Ｗｃが挟まるため、チェックターミナル１００に取り付けられていた上蓋９０を本体部６０に取り付けることができず、チェックターミナル１００の端子部８０が露出し、端子部８０間等の短絡事故や作業者の感電事故が起こる虞があった。
【０００９】
このような事故を防ぐために、作業時にチェックターミナルの端子部８０をカバーするものが提案されている。例えば、特許文献１の特開２００７−１３２８５０号「チェックターミナル及びこれを使用して電力量を測定する方法」においては、蓋体の両サイドに切欠きを設け、外部計器のリード線を通すための水平な直線状の切込みを有する弾性板（ゴムシート）で塞いだものが提案されている。
【先行技術文献】
【特許文献】
【００１０】
【特許文献１】特開２００７−１３２８５０号公報
【発明の概要】
【発明が解決しようとする課題】
【００１１】
しかしながら、特許文献１に記載の「チェックターミナル」では、切込みが水平な直線であるため、ゴムシートを薄くすると、リード線を挟んだ部分からゴムシートが大きく捲れ、リード線が垂れ下がってきてしまうという問題があった。また、ゴムシートを厚くしてゴムシートが捲れてしまうのを防止しようとすると、蓋体の開け閉め時にリード線に力が加わり、接続した外部計器接続用端子（試験用端子）からリード線が抜け落ちることがあった。
【００１２】
本発明は、上述した問題を解決するために提案されたものである。すなわち本発明の目的は、高圧計量器の取替作業等の際に、外部計器リード線を外部計器接続用端子に接続した状態を保ちつつ容易に本体部に着脱でき、チェックターミナルの端子部（充電部）を覆うことにより、短絡事故等を防ぐことができるチェックターミナルの作業用上蓋を提供することにある。
【課題を解決するための手段】
【００１３】
本発明のチェックターミナルの作業用上蓋は、高圧計量器の取替作業、試験作業、測定作業の際に使用される外部計器接続用端子（８５）を有する端子部（８０）が並設された本体部（６０）を、着脱可能に覆うチェックターミナルの作業用上蓋（１，２）であって、少なくとも前記本体部側が開放された略箱状であり、代替計器や試験用機器等の外部計器と前記各外部計器接続用端子とを接続する外部計器リード線（Ｗｃ）の挿入方向に対して垂直な側面には、前記端子部に略対向する箇所に切欠き（１０，１０ａ）が形成された蓋体（９０ａ，９０ｂ）と、前記切欠きを覆うように取り付けられる、前記外部計器リード線を通すための厚み方向に貫通する切込み（３０，３０ａ）が形成された弾性絶縁シート（２０，２０ａ）と、を備え、前記切込みは、前記外部計器接続用端子と略対向する位置に形成されたリード線引出部（３３，３３ａ）と、該弾性絶縁シートの端縁から該リード線引出部に向かい斜め上方へ傾斜して形成された略直線状の引込部（３１，３１ａ）とを有し、前記リード線引出部の切込みに囲まれた切込み片（３５，３５ａ）が下方に捲れることにより開口した引出孔（３７，３７ａ）から前記外部計器リード線が引き出され、捲れた該切込み片が該外部計器リード線を下側から支えるとともに、該リード線引出部の切込みの上側壁面に密着するように押しつける構成としたことを特徴とする。
【００１４】
前記切込み（３０，３０ａ）には、前記絶縁弾性シート（２０，２０ａ）の端縁側に、前記作業用上蓋（１，２）を取り付ける際に一時的に前記外部計器リード線（Ｗｃ）を保持するための保持部（３９）をさらに形成してもよい。
また、前記蓋体（９０ａ，９０ｂ）は、少なくともその一部が、透明な部材または透光性を有する部材（４１）からなり、少なくとも前記外部計器リード線（Ｗｃ）と前記外部計器接続用端子（８５）との接続状況が外部から視認できるように構成してもよい。
前記引込部（３１，３１ａ）と前記リード線引出部（３３，３３ａ）のうちの少なくともどちらか一方に、前記本体部（６０）の前記外部計器接続用端子（８５）と同じ色の識別表示（Ａ，Ｂ，Ａ’，Ｂ’）を施すように構成することも好ましい。
【発明の効果】
【００１５】
本発明によるチェックターミナルの作業用上蓋（１，２）によれば、蓋体（９０ａ，９０ｂ）の切欠き（１０，１０ａ）及び弾性絶縁シート（２０，２０ａ）の切込み（３０，３０ａ）により、外部計器リード線Ｗｃを接続した状態で容易に本体部（６０）に着脱することができ、作業者の負担を軽減することができる。チェックターミナルの作業用上蓋（１，２）により、端子台（８９）の端子部８０（充電部）を密閉するように覆うので、端子部８０間等の短絡事故や作業員の感電事故を防ぐことができる。また、切込み（３０，３０ａ）を、リード線引出部（３３，３３ａ）を有する構成とすることによって、引込部（３１，３１ａ）が捲れることなく、リード線引出部（３３，３３ａ）による切込み片（３５，３５ａ）のみが下方に捲れた状態で外部計器リード線（Ｗｃ）を引き出すことができる。引出孔（３７，３７ａ）及び切込み片（３５，３５ａ）によって外部計器リード線（Ｗｃ）を軽く水平に把持することができ、外部計器接続用端子（８５）との接続状態を安定して保つことができる。
【図面の簡単な説明】
【００１６】
【図１】本発明のチェックターミナルの作業用上蓋をチェックターミナルの本体部に取り付けた状態を示す概略図であり、（ａ）は正面図、（ｂ）はその右側面図である。
【図２】本発明のチェックターミナルの作業用上蓋の右側面の一部を拡大した、外部計器リード線を切込みのリード線引出部に引き込むまでの様子を説明するための説明図であって、(ａ)は引込部に外部計器リード線を移動させる途中の状態、(ｂ)はリード線引出部に外部計器リード線を移動させる途中の状態、(ｃ)はリード線引出部に外部計器リード線を引き込んだ状態である。
【図３】本発明のチェックターミナルの作業用上蓋の変形例である作業用上蓋をチェックターミナルの本体部に取り付けた状態を示し、 (ａ)は右側面図、（ｂ）はその一部を拡大し、外部計器リード線を保持部に保持させた状態、リード線引出部から引き出した状態を説明する説明図である。
【図４】上蓋を外した状態のチェックターミナルを示す斜視図である。
【図５】チェックターミナルの端子部を説明する拡大横断面図である。
【発明を実施するための形態】
【実施例１】
【００１７】
本発明のチェックターミナルの作業用上蓋１の実施の形態を、上述した通常時に使用する上蓋９０の構成に基づいて説明する。
図１は、上蓋９０の代わりに本発明のチェックターミナルの作業用上蓋１をチェックターミナルの本体部６０に取り付けた状態を示す概略図であり、（ａ）は正面図、（ｂ）はその右側面図である。なお、左側面については右側面と同様な構成であるため説明を省略する。
以下、本発明のチェックターミナルの作業用上蓋（以下、作業用上蓋という）１について、上述した通常時に使用する上蓋９０と同様の形状、構成については、同様の符号を付す等して重複する説明を省略し、異なる部分についてのみ説明する。
図１に示すように、作業用上蓋１は、切欠き３０が両側面に設けられた蓋体９０ａと、その切欠き３０を塞ぐように取り付けられる弾性絶縁シート２０とを備える。蓋体９０ａの前面略中央には、端子台８９に略対向する位置に開口する窓部４０が形成され、全ての端子部８０の接続状況が確認できるように、略矩形の透明な板状の透明部材４１が取り付けられている。この透明部材４１は、例えば、透明樹脂板や透光性を有する樹脂板等である。
【００１８】
図１（ａ）に示すように、各端子部８０の第１接続部８１、第２接続部８３には、それぞれ、ゴムブッシング７５を通して変成器（図示せず）に接続されるリード線Ｗａ、ゴムブッシング７７を通して高圧計量器（図示せず）に接続されるリード線Ｗｂが挿通、固定される。また、各外部計器接続用端子８５には、必要に応じて外部計器リード線Ｗｃが挿通され、固定ネジ８５ａで固定される（図１（ａ）においては、右側の外部計器接続用端子８５にのみ、外部計器リード線Ｗｃを接続した状態を想像線にて示している）。各外部計器リード線Ｗｃは、蓋体９０ａの側面に設けられた切込み３０（後述）を利用して外部計器に接続される。
【００１９】
図１（ｂ）に示すように、蓋体９０ａは上蓋９０と略同じ形状であり、その左右両側面には、上蓋９０の後方下側を切り欠くような逆Ｌ字状の切欠き１０が形成されている。また、蓋体９０ａには、切欠き１０による開口を塞ぐように、外壁側に略台形状の弾性絶縁シート２０が貼着されている。弾性絶縁シート２０は、柔軟性、絶縁性を有する素材からなり、例えばゴム製シートや樹脂製シート等である。弾性絶縁シート２０には、チェックターミナル１００内部の外部計器接続用端子８５と外部機器である外部計器を電気的に繋ぐ外部計器リード線Ｗｃを通すための厚み方向に貫通する切込み３０が、７つの端子部８０それぞれに対応するように、鉛直方向に同数並設されている。
【００２０】
各切込み３０は略Ｊ字状であり、弾性絶縁シート２０の端縁から内側斜め上方に向かって延びるように切り込まれた直線状の引込部３１と、その先端側に設けられた下方へ曲がるように略曲線状に切り込まれたリード線引出部３３とからなる。各リード線引出部３３は、各端子部８０の７対の各外部計器接続用端子８５と略対向する位置に設けられ、外部計器接続用端子８５に接続された各外部計器リード線Ｗｃは、略対向する位置に設けられたリード線引出部３３により、接続された箇所から略水平方向に引き出される。そして、各切込み３０の引込部３１の後端ａの周縁部の及びリード線引出部３３の周縁部には、対応する外部計器接続用端子８５の持ち手部分ｈ（図５参照）の色と同じ色の識別表示Ａ，Ｂがなされている。また、蓋体９０ａの前面にも外部計器リード線Ｗｃの引き出し位置がわかるように、各端子部８０に対抗する位置に識別表示Ｃを設けることも好ましい（図１（ａ）参照）。
【００２１】
以下、本発明の作業用上蓋１の使用方法について、説明する。
図２は、作業用上蓋１の右側面の一部を拡大した、外部計器リード線Ｗｃを切込み３０のリード線引出部３３に引き込むまでの様子を説明する説明図であって、(ａ)は引込部３１へ外部計器リード線Ｗｃを移動させる途中の状態、(ｂ)はリード線引出部３３へ外部計器リード線Ｗｃを移動させる途中の状態、(ｃ)はリード線引出部３３に外部計器リード線Ｗｃを引き込んだ状態である。
作業の際には、チェックターミナル１００の本体部６０から上蓋９０を外し、必要に応じて、端子部８０の外部計器接続用端子８５への持ち手部分ｈと同じ色の被覆がなされた外部計器リード線Ｗｃの接続、接栓８７の取り外しを行い、作業用上蓋１を本体部６０に取り付ける。
【００２２】
作業用上蓋１を取り付けることにより、外部計器接続用端子８５に接続され下方に垂れ下がった外部計器リード線Ｗｃは、図２（ａ）に示すように、弾性絶縁シート２０を一時的に変形させて、作業用上蓋１の弾性絶縁シート２０の端縁ｂと本体部６０の側端側の壁部７３の間に挟まれた状態となる。この際、外部計器リード線Ｗｃが互いに絡まらないように、識別表示Ａ（Ｃ）の色の順と同様に鉛直方向に並ぶようにすることが望ましい。次に、外部計器リード線Ｗｃを弾性絶縁シート２０を変形させた状態で、外部計器リード線Ｗｃを上方の同じ色の識別表示Ａ，Ｂが付された切込み３０の引込部３１の後端ａ部分まで移動させる。
【００２３】
さらに、図２（ｂ）に示すように、外部計器リード線Ｗｃを、弾性絶縁シート２０を一時的に変形させながら、引込部３１を通してその先端側に設けられたリード線引出部３３まで移動させる。そして、図２（ｃ）に示すように、外部計器リード線Ｗｃをリード線引出部３３に引き込む。外部計器リード線Ｗｃの引込みにより、リード線引出部３３に囲まれた略舌状の切込み片３５を略下方に捲れるようにして引出孔３７を作り、この引出孔３７から外部計器リード線Ｗｃを引き出す。ここで、リード線引出部３３は、引出孔３７の大きさが外部計器リード線Ｗｃの断面よりも若干大きくなるように形成されている。
【００２４】
なお、外部計器リード線Ｗｃは上方のリード線引出部３３から引き出すものから順に移動させることが望ましい。また、作業中、特に外部計器リード線Ｗｃを移動させる際には、窓部４０から外部計器接続用端子８５と外部計器リード線Ｗｃの接続状態を目視で確認しながら行うことができる。作業用上蓋１を本体部６０から取り外す際には、上述と逆の順序で作業を行えばよい。
【００２５】
本発明のチェックターミナルの作業用上蓋１によれば、蓋体９０ａの切欠き１０及びこれを塞ぐ弾性絶縁シート２０の切込み３０により、外部計器リード線Ｗｃを外部計器接続用端子８５に接続した状態で容易に本体部６０に着脱することができる。作業用上蓋１によって、端子台８９の端子部８０（充電部）を覆うので、端子部８０間等の短絡事故や作業員の感電事故を防ぐことができる。
【００２６】
切込み３０の引込部３１を内側斜め上方に向かって延びる直線状とすることにより、下方からリード線引出部３３まで切込み３０に沿って、外部計器リード線Ｗｃを容易に引き込むことができる。また、引込部３１の先端側に設けた下方へ曲がる曲線状のリード線引出部３３により、引込部３１が捲れることなく、リード線引出部３３に囲まれた略舌状の切込み片３５のみが下方に捲れて引出孔３７を形成し、この引出孔３７から外部計器リード線Ｗｃを引き出すことができる。引込部３１を弾性絶縁シート２０の端縁から内側斜め上方に向かう形状としたこと、また、その先端側に引出孔３７を形成することにより、弾性絶縁シート２０の引込部３１の捲れを防ぎ、チェックターミナル１００の側面部の切欠き１０を適切に塞ぎ、短絡事故等を防ぐことができる。
【００２７】
引出孔３７から引き出された外部計器リード線Ｗｃの外周壁の下側部分は、下方に捲れた切込み片３５によって支えられると共に、外部計器リード線Ｗｃは切込み片３５によって引出孔３７の上側壁面に密着するように押しつけられる。よって、引出孔３７及び切込み片３５によって外部計器リード線Ｗｃを軽く把持することができ、外部計器接続用端子８５との接続状態を安定して保つことができる。
リード線引出部３３を外部計器接続用端子８５の位置に対向するように設けることによって、外部計器リード線Ｗｃを引出孔３７により水平に把持するので、外部計器リード線Ｗｃと外部計器接続用端子８５との接続部分に係る力を軽減することができ、外部計器リード線Ｗｃが外部計器接続用端子８５から外れにくくなる。
【００２８】
リード線引出部３３を外部計器接続用端子８５の位置に対向するように設け、作業用上蓋１の切込み３０や前面に外部計器リード線Ｗｃの被覆の色と同じ色による識別表示Ａ，Ｂ，Ｃを設けることにより、外部計器リード線Ｗｃを各引出孔３７に容易に挟み込むことができる。また、外部計器リード線Ｗｃの取出し位置が明確となり、接続誤り等のヒューマンエラー防止を喚起できる。
作業用上蓋１の取り付け、取り外しの際等には、外部計器リード線Ｗｃと外部計器接続用端子８５との接続部分に若干の力が加わる場合があるが、作業用上蓋１には窓部４０が設けられているので、外部計器リード線Ｗｃの接続状況を目視で確認しながら開閉することができる。
【００２９】
なお、図１に示すように、チェックターミナルの作業用上蓋１は、切込み３０の引込部３１を覆うカバー部材５０をさらに備えたものとしてもよい。図１に示すカバー部材５０は、柔軟性、絶縁性を有する素材からなり、蓋体９０ａの各側面に並設された引込部３１を覆う一対の略帯状の部材である。カバー部材５０の上端部及び下端部は、面ファスナー等の取付部材（図示せず）を利用して、それぞれ蓋体９０ａの側面の上部及び箱体７０の側面の下部に取り付けられるものである。
【００３０】
このカバー部材５０を備えた構成とすることにより、弾性絶縁シート２０に工具等があたった際に、弾性絶縁シート２０が変形し作業用上蓋１の内側に入り込み、端子部８０に接触して短絡事故等を起こすことを防ぐことができる。また、切込み３０の引込部３１を補強するように設けられるので、引出孔３７から引き出した外部計器リード線Ｗｃをより確実に保持することができる。
【００３１】
次に、本発明のチェックターミナルの作業用上蓋１の変形例である作業用上蓋２について、図面を参照して説明する。
図３は、本発明のチェックターミナルの作業用上蓋１の変形例である作業用上蓋２をチェックターミナルの本体部６０に取り付けた状態を示し、 (ａ)は右側面図、（ｂ）はその一部を拡大し、外部計器リード線Ｗｃを保持部３９に保持させた状態及びリード線引出部３３ａから引き出した状態を説明する説明図である。以下、作業用上蓋１と同様の形状、構成については、同様の符号を付す等して重複する説明を省略し、異なる部分についてのみ説明する。
作業用上蓋２は、図３に示すように、作業用上蓋１と切欠き１０、弾性絶縁シート２０、切込み３０等の形状が異なる。
【００３２】
作業用上蓋２は、複数の切欠き１０ａが設けられた蓋体９０ｂと、これらの切欠き１０ａを塞ぐように取り付けられる弾性絶縁シート２０ａとを備える。作業用上蓋２の蓋体９０ｂは、その側面に各端子部８０に略対向するように、外縁から内側斜め上方に向かって延びる略平行四辺形状の切欠き１０ａが所定の間隔で複数形成されている。これらの切欠き１０ａにより、蓋体９０ｂの側面後方側は略櫛状となっている。また、蓋体９０ｂの側面には、これらの切欠き１０ａによる開口を一度に塞ぐように、その外壁側に略平行四辺形状の弾性絶縁シート２０ａが取り付けられている。弾性絶縁シート２０ａは、切欠き１０ａに面する箇所以外の全部分を利用して蓋体９０ｂに貼着されており、各切欠き１０ａの上側及び下側である、櫛の歯に該当する部分等が弾性絶縁シート２０ａを支える枠Ｆとなっている。
【００３３】
弾性絶縁シート２０ａには、その各切欠き１０ａに面する箇所に厚み方向に貫通する切込み３０ａが形成されている。切込み３０ａは、弾性絶縁シート２０ａの端縁ｂから内側斜め上方に向かって延びるように切り込まれた略直線状の引込部３１ａと、逆Ｕ字状に切り込まれたリード線引出部３３ａとからなる。引込部３１ａの先端ｃは、リード線引出部３３ａの右側直線部分の略中央に斜めに突き当たるように設けられている。各リード線引出部３３ａは、各端子部８０の７対の各外部計器接続用端子８５と略対向する位置に設けられ、リード線引出部３３ａの曲線部分は、外部計器リード線Ｗｃの断面の外縁よりも曲率が若干小さい。各外部計器接続用端子８５に接続された外部計器リード線Ｗｃの引き出し位置が決まっているのは、作業用上蓋１と同様である。
【００３４】
引込部３１ａの後端ａ側には、下方に略Ｕ字状に湾曲した保持部３９が形成されている。この保持部３９は、作業用上蓋２を本体部６０に着脱する際に、各切込み３０ａのリード線引出部３３ａに移動させる外部計器リード線Ｗｃを一時的に保持させるためのものである。保持部３９は、作業用上蓋２を本体部６０に取り付けた際に、保持した外部計器リード線Ｗｃが本体部６０の壁部７３にぶつかることのないよう、弾性絶縁シート２０ａの端縁ｂから少し内側に設けられている。保持部３９の曲線部分は、外部計器リード線Ｗｃの断面の外縁よりも曲率が若干小さい。また、作業用上蓋２には、各切込み３０ａの保持部３９及びリード線引出部３３ａの周縁部に、対応する外部計器接続用端子８５と同様、識別表示Ａ’，Ｂ’が施されている。
【００３５】
次に、作業用上蓋２の使用方法について、作業用上蓋１と異なる部分についてのみ、説明する。
作業用上蓋２の場合、チェックターミナル１００の本体部６０に取り付ける前に、外部計器リード線Ｗｃの被覆の色を確認し、同じ色の識別表示Ａ’が施された保持部３９に保持させる。外部計器リード線Ｗｃを予め作業用上蓋２に保持させることで、外部計器リード線Ｗｃが互いに絡まることのないようにして本体部６０に取り付けることができる。その後は、作業用上蓋１と同様、保持部３９の外部計器リード線Ｗｃをリード線引出部３３ａに移動させればよい。
【００３６】
チェックターミナルの作業用上蓋１の変形例である作業用上蓋２によれば、作業用上蓋１において述べた効果の他に、以下のような効果がある。
作業用上蓋２では、作業用上蓋２を本体部６０に着脱する際に、弾性絶縁シート２０ａの保持部３９にその識別表示Ａ’と同じ色の被覆の外部計器リード線Ｗｃを、予め外部計器リード線Ｗｃが絡まらないように保持させることができる。
また、作業用上蓋２を本体部６０に取り付けた後に外部計器リード線Ｗｃを移動させる距離が短くすることができ、外部計器リード線Ｗｃと外部計器接続用端子８５との接続部分に係る力を軽減することができる。
【００３７】
保持部３９においては、図３（ｂ）に示すように、外部計器リード線Ｗｃにより、保持部３９に囲まれた略舌状の切込み片３９ｙが上方に捲れるようにして保持孔３９ｘが作られ、切込み片３９ｙが外部計器リード線Ｗｃを保持孔３９ｘの下側壁面に密着するように押しつける。保持孔３９ｘ及び切込み片３９ｙに外部計器リード線Ｗｃが軽く把持され、枠Ｆにより弾性絶縁シート２０ａの変形も制限されるので、外部計器リード線Ｗｃを一時的に安定した状態で保持することができる。
【００３８】
さらに、引込部３１ａ、リード線引出部３３ａを上述のように形成することにより、図３（ｂ）に示すように、引出孔３７ａから引き出した外部計器リード線Ｗｃを、リード線引出部３３ａに囲まれた略舌状の切込み片３５ａにより真下から確実に支え、引出孔３７ａの半円弧状の上側壁面に密着するように押しつけることができる。よって、外部計器接続用端子８５との接続状態をより安定して保つことができる。
【００３９】
弾性絶縁シート２０ａを支える枠Ｆによって、切込み３０ａの捲れや変形を効果的に防ぐことができ、引き出した外部計器リード線Ｗｃをより確実に支えることができる。また、作業用上蓋１のように、切込み３０により弾性絶縁シート２０の一部分が容易にチェックターミナル１００の内方に湾曲してしまうことを防ぐことが可能である。よって、カバー部材５０を取り付けない状態においても、工具等の作業用上蓋２の内側への侵入をある程度防ぎ、短絡事故等を防ぐことができる。
【００４０】
なお、保持部３９は一時的に外部計器リード線Ｗｃを保持できるものであれば、上述した構成に限らない。例えば、図示しないが、保持部３９の部分を貫通孔とし、それを覆うカバー部材５０を備えた構成としてもよい。また、弾性絶縁シート２０ａは一度に複数の切欠き１０ａを塞ぐものとしたが、各切欠き１０ａを個別に塞ぐよう複数設けてもよく、また、蓋体１０ａの内側から取り付ける構成としてもよい。
【００４１】
本発明は上述した発明の実施の構成に限定されず、作業用上蓋１，２の蓋体９０ａ，９０ｂの側面に設けた切欠き１０，１０ａに、切込み３０，３０ａを有する弾性絶縁シート２０，２０ａを覆うように配設したものであり、この切込み３０，３０ａが、弾性絶縁シート２０ａの端縁から斜め上方向に切り込まれた略直線状の引込部３１，３１ａと、外部計器リード線Ｗｃを引き出す引出孔３７，３７ａ及び外部計器リード線Ｗｃを支持等する切込み片３５，３５ａが形成されるように設けられたリード線引出部３３，３３ａとを有する構成であれば、本発明の要旨を逸脱しない範囲で種々変更できることは勿論である。
【００４２】
弾性絶縁シート２０，２０ａの厚さは、素材の弾力性にもよるが、各部の機能が発揮できる厚さであれば全体が均一な厚さであるものに限らない。例えば、外部計器リード線Ｗｃを引き込み易いように、各引込部３１の周縁の厚さを薄くするなど、役割に応じて部分的に厚さが異なるものとしてもよい。
【００４３】
上述した実施例においては、切込み３０，３０ａを線状として、作業の際に作業用上蓋１，２によって本体部６０を密閉できる構成としているが、上述したカバー部材５０を取り付けて使用するならば、引込部３１，３１ａのカバー部材５０で覆われる部分は、切込み３０，３０ａに幅をもたせ、外部計器リード線Ｗｃの移動時の摩擦を少なくすることもできる。カバー部材５０は、経済性、作業効率を考慮し、簡易で取り付け・取り外し容易な構造としているが、切込み３０の引込部３１等を覆うことができれば、その素材、形状、構成等は上述したものに限らず、適宜変更することができる。
【産業上の利用可能性】
【００４４】
本発明の作業用上蓋の構成は、チェックターミナルに限らず、リード線等が略水平方向に挿入される端子部を備えた様々な機器において使用することが可能である。
【符号の説明】
【００４５】
１，２          作業用上蓋
１０，１０ａ    切欠き
２０，２０ａ    弾性絶縁シート
３０，３０ａ    切込み
３１，３１ａ    引込部
３３，３３ａ    リード線引出部
３５，３５ａ    切込み片
３７，３７ａ    引出孔
４０            窓部
５０            カバー部材
６０            本体部
７０            箱体
８０            端子部
８１            第１接続部
８３            第２接続部
８５            外部計器接続用端子
８７            接栓
８９            端子台
９０            上蓋
９０ａ，９０ｂ  蓋体
１００          チェックターミナル
Ｗａ, Ｗｂ      リード線
Ｗｃ            外部計器リード線
Ａ，Ｂ，Ｃ，Ａ’，Ｂ’  識別表示
【図１】
2014142257.tif 000003
【図２】
2014142257.tif 000004
【図３】
2014142257.tif 000005
【図４】
2014142257.tif 000006
【図５】
2014142257.tif 000007